(57)【要約】【課題】透過原稿を読み取る画像読取装置において、ゴミやキズの除去された良好な読取画像を得る。【解決手段】透過原稿を読み取る画像読取装置において、透過原稿照明ユニットは、少なくとも可視領域において発光を行う少なくとも１つの光源を設置する第１の面と赤外領域で発光を行う赤外光源を複数個直列に配置した少なくとも１つの光源を設置した第２の面とを同側部に有し、前記第１の面と前記第２の面は有効発光領域から異なる位置に配置され、該同側部からの入射光を平面全体にほぼ均一に発光させる導光板及び反射シ−トを有する。【選択図】　　　図３
2004040149.tif 000002
【特許請求の範囲】
【請求項１】
可視領域の光を発光する第１の光源と、
不可視領域の光を発光する第２の光源と、
前記第１及び第２の光源から照射された光を面状に導光して照明する導光板とを有し、
前記導光板の有効発光領域から前記第１の光源の配置部までの距離と、前記有効発光領域から前記第２の光源の配置部までの距離を異ならせたことを特徴とする照明装置。
【請求項２】
前記有効発光領域から前記第１の光源の配置部までの距離よりも前記有効発光領域から前記第２の光源の配置部までの距離を長くしたことを特徴とする請求項１に記載の照明装置。
【請求項３】
前記第２の光源の配置部に前記第２の光源の照射光を前記導光板の内部に向かって反射する第１の反射面を設けたことを特徴とする請求項１又は２に記載の照明装置。
【請求項４】
前記第１及び第２の光源を前記導光板の一辺に沿って並列して配置したことを特徴とする請求項１乃至３のいずれかに記載の照明装置。
【請求項５】
前記第１の光源の配置部と前記第２の光源の配置部との間に第２の反射面を設けたことを特徴とする請求項４に記載の照明装置。
【請求項６】
前記第２の光源は、赤外領域の光を発光することを特徴とする請求項１乃至５のいずれか１項に記載の照明装置。
【請求項７】
請求項１乃至６のいずれか１項に記載の照明装置と、前記照明装置からの光により照明された原稿からの光を撮像素子に入射させて画像信号に変換する読取手段とを有することを特徴とする画像読取装置。
【請求項８】
前記導光板により導光された前記第２の光源からの光により照明された前記原稿からの光を前記撮像素子に入射させることで得られる画像信号に基づいて、前記導光板から前記撮像素子までの光路上に存在する欠陥情報を読み取る欠陥情報読取手段を有することを特徴とする請求項７に記載の画像読取装置。
【請求項９】
前記読取手段が読み取った前記画像情報から前記欠陥情報読取手段が読み取った前記欠陥情報を取り除く補正手段を有することを特徴とする請求項８に記載の画像読取装置。
【請求項１０】
前記欠陥情報は、前記原稿自体に存在するゴミまたはキズが前記導光板により導光された前記第２の光源からの光を遮ることによって発生する情報であることを特徴とする請求項８又は９に記載の画像読取装置。
【請求項１１】
可視領域の光を発光する第１の光源と、
不可視領域の光を発光する第２の光源と、
前記第１及び第２の光源から照射された光を面状に導光して照明する導光板とを有し、
前記第２の光源の配置部に前記第２の光源の照射光を前記導光板の内部に向かって反射する第１の反射面を設けたことを特徴とする照明装置。
【請求項１２】
前記第１及び第２の光源を前記導光板の一辺に沿って並列して配置したことを特徴とする請求項１１に記載の照明装置。
【請求項１３】
前記第１の光源の配置部と前記第２の光源の配置部との間に第２の反射面を設けたことを特徴とする請求項１１又は１２に記載の照明装置。
【請求項１４】
前記第２の光源は、赤外領域の光を発光することを特徴とする請求項１１乃至１３のいずれか１項に記載の照明装置。
【請求項１５】
請求項１１乃至１４のいずれか１項に記載の照明装置と、前記照明装置からの光により照明された原稿からの光を撮像素子に入射させて画像信号に変換する読取手段とを有することを特徴とする画像読取装置。
【請求項１６】
前記導光板により導光された前記第２の光源からの光により照明された前記原稿からの光を前記撮像素子に入射させることで得られる画像信号に基づいて、前記導光板から前記撮像素子までの光路上に存在する欠陥情報を読み取る欠陥情報読取手段を有することを特徴とする請求項１５に記載の画像読取装置。
【請求項１７】
前記読取手段が読み取った前記画像情報から前記欠陥情報読取手段が読み取った前記欠陥情報を取り除く補正手段を有することを特徴とする請求項１６に記載の画像読取装置。
【請求項１８】
前記欠陥情報は、前記原稿自体に存在するゴミまたはキズが前記導光板により導光された前記第２の光源からの光を遮ることによって発生する情報であることを特徴とする請求項１６又は１７に記載の画像読取装置。
【請求項１９】
可視領域の光を発光する第１の光源と、
不可視領域の光を発光する第２の光源と、
前記第１及び第２の光源から照射された光を面状に導光して照明する導光板とを有し、
前記第１及び第２の光源を前記導光板の一辺に沿って並列して配置するとともに、前記第１の光源の配置部と前記第２の光源の配置部との間に反射面を設けたことを特徴とする照明装置。
【請求項２０】
前記第２の光源は、赤外領域の光を発光することを特徴とする請求項１９に記載の照明装置。
【請求項２１】
請求項１９又は２０に記載の照明装置と、前記照明装置からの光により照明された原稿からの光を撮像素子に入射させて画像信号に変換する読取手段とを有することを特徴とする画像読取装置。
【請求項２２】
前記導光板により導光された前記第２の光源からの光により照明された前記原稿からの光を前記撮像素子に入射させることで得られる画像信号に基づいて、前記導光板から前記撮像素子までの光路上に存在する欠陥情報を読み取る欠陥情報読取手段を有することを特徴とする請求項７に記載の画像読取装置。
【請求項２３】
前記読取手段が読み取った前記画像情報から前記欠陥情報読取手段が読み取った前記欠陥情報を取り除く補正手段を有することを特徴とする請求項２２に記載の画像読取装置。
【請求項２４】
前記欠陥情報は、前記原稿自体に存在するゴミまたはキズが前記導光板により導光された前記第２の光源からの光を遮ることによって発生する情報であることを特徴とする請求項２２又は２３に記載の画像読取装置。
【発明の詳細な説明】
【０００１】
【発明の属する技術分野】
本発明は、写真フィルム等の原稿画像情報を読み取る画像読取装置及びそれに使用される照明装置に関するものである。
【０００２】
【従来の技術】
従来の写真フィルム等の透過原稿の画像情報を読み取る画像読取装置では、透過原稿上に埃等のゴミが存在した場合やフィルム面の損傷（キズ）等があった場合、そのゴミやキズまでもが読み取られてしまうため、ゴミやキズによる画像の劣化を防ぐことが出来なかった。この問題を解決するために、可視光源による画像情報を赤外光源による画像情報より得られるゴミやキズの情報で補正する画像読取装置が提案されている（特開２００１−２９８５９３号）。この画像読取装置では、蛍光灯など面状に発光する光源である可視光源と赤外ＬＥＤチップなど点状に発光する赤外光源とが導光板の側面に配置されている。
【０００３】
【発明が解決しようとする課題】
しかし、上記した従来の画像読取装置の構成では、それぞれの光源を発光させると、可視光源が導光体によって均一に有効発光領域面上に導光されたとしても、赤外光源は有効発光領域までの位置が近すぎるため光が十分に拡散出来ず、原稿の照射光が不均一になり、ゴミやキズの情報を正確に得られないという問題が発生していた。
【０００４】
【課題を解決するための手段】
本発明は、上記問題点を解決するためになされたものであり、請求項１に記載の照明装置は、可視領域の光を発光する第１の光源と、不可視領域の光を発光する第２の光源と、前記第１及び第２の光源から照射された光を面状に導光して照明する導光板とを有し、前記導光板の有効発光領域から前記第１の光源の配置部までの距離と、前記有効発光領域から前記第２の光源の配置部までの距離を異ならせたことを特徴とする。
【０００５】
請求項１１に記載の照明装置は、可視領域の光を発光する第１の光源と、不可視領域の光を発光する第２の光源と、前記第１及び第２の光源から照射された光を面状に導光して照明する導光板とを有し、前記第２の光源の配置部に前記第２の光源の照射光を前記導光板の内部に向かって反射する第１の反射面を設けたことを特徴とする。
【０００６】
請求項１９に記載の照明装置は、可視領域の光を発光する第１の光源と、不可視領域の光を発光する第２の光源と、前記第１及び第２の光源から照射された光を面状に導光して照明する導光板とを有し、前記第１及び第２の光源を前記導光板の一辺に沿って並列して配置するとともに、前記第１の光源の配置部と前記第２の光源の配置部との間に反射面を設けたことを特徴とする。
【０００７】
【発明の実施の形態】
（第１の形態）
図面を用いて本発明の実施形態における画像読取装置について説明する。
【０００８】
図１は、本実施形態の画像読取装置の内部構成ブロック図である。画像読取装置１は、信号ケーブルでホストコンピュータ２１と接続されている。画像読取装置１は、ホストコンピュータ２１の命令で作動して画像を読み取り、画像信号をホストコンピュータ２１に転送する。
【０００９】
１０５は光源３から照射された原稿からの光を固体撮像素子であるＣＣＤ１０６上に結像するための結象レンズであり、２４は光源３を点灯するための光源点灯回路である。なお、撮像素子としてはＣＣＤ以外のＣＭＯＳ等を使用してもよい。次に、電気基板１１６において、２５はパルスモータ１２６を駆動するモータ駆動回路であり、画像読取装置（イメージスキャナ）１のシステム制御手段であるシステムコントローラ２６からの信号によりパルスモータ１２６の励磁切替え信号を出力する。２７Ｒ，２７Ｇ，２７Ｂは、アナログゲイン調整器であり、ＣＣＤラインセンサ１０６から出力されたアナログ画像信号を可変増幅する。
【００１０】
２８はＡ／Ｄ変換器であり、アナログゲイン調整器２７Ｒ，Ｇ，Ｂから出力されたアナログ画像信号をディジタル画像信号に変換する。２９は画像処理部であり、ディジタル信号化された画像信号に対してオフセット補正、シェーディング補正、デジタルゲイン調整、カラーバランス調整、マスキング、主・副走査方向の解像度変換、及び後述するゴミキズ補正処理等の画像処理を行う。３０はラインバッファであり、画像データを一時的に記憶する部分であり、汎用のランダムアクセスメモリで実現している。
【００１１】
３１はインターフェース部であり、ホスト２１と通信するためのものである。ここではＳＣＳＩコントローラで実現しているが、セントロニクスやＵＳＢ等別のインターフェースも採用することも可能である。３２は画像処理を行う際のワーキングエリアとして用いられるオフセットＲＡＭである。このオフセットＲＡＭ３２は、ラインセンサ１０６がＲＧＢ用ラインセンサを各々所定のオフセットを持って平行に配置されているので、そのＲＧＢライン間オフセットの補正用として用いられる。また、オフセットＲＡＭ３２は、シェーディング補正等の各種データの一時記憶も行う。ここでは汎用のランダムアクセスメモリで実現している。
３３はガンマカーブを記憶し、ガンマ補正を行うためのガンマＲＡＭである。２６はスキャナ全体のシーケンスをプログラムとして記憶したシステムコントローラであり、ホスト２１からの命令にしたがって各種制御を行う。３４はシステムコントローラ２６と画像処理部２９、ラインバッファ３０、インターフェース部３１、オフセットＲＡＭ３２及びガンマＲＡＭ３３をつなぐシステムバスであり、アドレスバスとデータバスによって構成されている。
【００１２】
次に、図２は、本実施形態の画像読取装置の概略斜視図である。図２に示すように、画像読取装置１には、現像剤写真フィルム等の透過原稿を読み取る場合に、透過原稿を照明するための透過照明ユニット２がヒンジ部１８によって回動自在に取り付けられている。透過照明ユニット２には、後述する面状光源３がユニット下カバ−５上にビス等で固定されることで取り付けられている。また、面状光源３は、光源保護透明部材によって保護されている。
【００１３】
画像読取装置１の本体上には、読取原稿を置くためのプラテンガラス１３が備え付けられ、写真フィルムを読み取る場合には、遮光シ−ト４がプラテンガラス１３上に載置される。遮光シ−ト４に設けられたシェ−ディング窓４ａは、シェ−ディングを測定するための窓であり、透過原稿載置部４ｂは透過原稿を置く場所である。
【００１４】
図３は、透過照明ユニットにより照明された透過原稿を読み取る様子を示す概略斜視図、図４は、面状光源３の平面図である。面状光源３は、導光板１９、蛍光灯やキセノンランプ等の主に可視領域の光を照射する透過原稿読取用ランプ６、主に赤外域のみに発光強度を有するＬＥＤからなるゴミキズ検知用ランプ７とから構成されている。
【００１５】
前記透過原稿読取用ランプ６は、面状光源３が透過原稿を面状に照明するための有効発光領域端部からＬ１だけ離れた位置にある端面に設置され、ゴミキズ検知用ランプ７は、前記有効発光領域端部からＬ２だけ離れた位置にある端面に設置される。ここで、ランプ６が配置される距離Ｌ１に比べてランプ７が配置される距離Ｌ２の方が長くなるように設定されている。
【００１６】
導光板１９は、照明光Ｌを内部反射により２次元の長手方向に導光する導光部１１と、導光部１１によって導光された光を反射して原稿方向に反射するための反射シ−ト部１０と、反射シ−ト部１０により反射された光を均一化するための拡散シ−ト部１２とから構成されている樹脂製の拡散パネルである。導光部１１には、入射光をほぼ面状に導光して発光させるように複数の溝によって導光パターン１２１が形成されている。
【００１７】
図５に示すように、反射シ−ト部１０は、導光部１１の外面に沿って設けられており、さらに導光体発光面側を覆う反射シート部１０の端部を、透過原稿画像領域を照射する有効発光領域近傍まで延伸させることによって、透過原稿読取用ランプ６及びゴミキズ検知用ランプ７の直接光が画像読取領域を直接照射しないようにすることで、より均一に導光体１９全体を面状に発光させることが可能である。
【００１８】
本実施形態では、反射シート１０が導光部１１の外面だけでなく、前記透過原稿読取用ランプ６の配置部とゴミキズ検知用ランプ７の配置部との間にも設けられており、ゴミキズ検知用ランプ７から照明された赤外光を効率良く導光部１１の長手方向内部に導くことが可能である。なお、反射シートを配置する代わりに、反射塗料を塗布又は印刷するようにしてもよい。そして、前記透過原稿読取用ランプ６及びゴミキズ検知用ランプ７から照射された光Ｌは、反射シ−ト部１０と拡散シ−ト部１２との間で反射しながら導光部１１を２次元の長手方向に進んで行く。そして拡散シ−ト部１２に入射した光の一部が拡散して、導光板１９全体が面状に均一に発光する。
【００１９】
ここで、ゴミキズ検知用ランプ７は、複数個の赤外ＬＥＤチップ７ａ及び前記赤外ＬＥＤチップ７ａに対応した位置に発光開口部７ｃを有するＬＥＤ基板７ｂで構成されている。そして、前記ＬＥＤ基板７ｂにおける導光体対向面と反対側から前記赤外ＬＥＤチップ７ａの発光部が前記ＬＥＤ基板７ｂのＬＥＤ開口部７ｃの内側にくるように配置されており、前記赤外ＬＥＤチップ７ａが配置されている。また、ＬＥＤ基板７ｂの導光体対向面は、フラットに形成され、白色塗料を塗布又は印刷することによって反射面を形成し、ＬＥＤチップ７ａから照射された光を導光部７の内部に向かって効率良く反射させ、面状光源３全体の赤外輝度を向上させることが可能である。ゴミキズ検知用ランプ７は、反射シ−ト部１０で覆われることによって導光部１１の端面に密接した状態で固定されており、ゴミキズ検知用ランプ７から照射された赤外光を効率良く導光体の内部に導くことが可能である。
【００２０】
透過原稿照明用ランプ６は、可視領域のみの光を発光するものでもよいが、主として可視領域の光を照射するようなものであれば、赤外領域のような不可視領域の光を照射するものでもよい。また、ゴミキズ検知用ランプ７は、赤外領域の光のみを発光するものでなくても、主として赤外領域の光を発光するものであればよい。さらに、蛍光灯やキセノンランプ、ＬＥＤ以外の光源を用いてもかまわない。また、図６に示すように、前記透過原稿読取用ランプ６とゴミキズ検知用光源６のＬＥＤ基板７の間に反射シート部１０を設置しなくてもよく、設置する場合に比べて製造コストを下げることが出来る。
【００２１】
図７は、本実施形態の画像読取装置の断面図である。画像読取装置１に設けられたキャリッジ９には、反射原稿用照明ランプ２０、ＣＣＤラインセンサ１０６、レンズ１０５及び反射ミラ−１６がそれぞれ搭載されている。ＣＣＤラインセンサ１０６は、画像を電気的な画像信号に変換するものであり、複数個の撮像素子が一直線上に並んでいる。キャリッジ９は、キャリッジガイドシャフト８と嵌合しており、副走査方向に移動可能である。
【００２２】
次に透過原稿の読取動作について説明する。まず、反射原稿用照明ランプ２０及びゴミキズ検知用ランプ７を消灯し、透過原稿用ランプ６を点灯させることにより、面状光源３全体を発光させ、キャリッジ９を副走査方向に移動することにより、反射ミラー１６、レンズ１０５を介して透過原稿上の画像情報がＣＣＤ１０６に投影される。
【００２３】
続いて反射原稿用照明ランプ２０及び透過原稿照明ランプ６を消灯し、ゴミキズ検知用ランプ７を点灯させることにより、面状光源３全体を発光させ、キャリッジ９を副走査方向に移動することにより、反射ミラー１６、レンズ１０５を介して透過原稿上のゴミ、キズ等がＣＣＤ１０６に投影される。ここでゴミキズ検知用ランプ７の光は赤外成分のみであるので、ネガ、ポジ等の透過原稿はその画像（感光像）によらずこの赤外成分を透過させ、物理的に光路を遮る埃やゴミ、キズ等の像がＣＣＤ１４上に影として投影されるため、良好にゴミキズ検知を行うことができる。
【００２４】
こうして得られたゴミキズ検知画像と前述の透過原稿読取画像との両者を画像処理部２９において画像処理（ゴミキズ補正処理）を施すことによって、ゴミキズ検知画像上で認識されたゴミやキズによる欠損領域に対し、その周囲の原稿読取画像から補間することによってゴミやキズの影響の取り除かれた良好な透過原稿画像を読み取ることができる。
【００２５】
（第２の形態）
図８は、本発明の他の実施形態における画像読取装置の断面図を示す。導光部１１の側面高さを持ったＬＥＤ基板７ｂを設け、その透過原稿照射用ランプ６側に反射シート１０ｂを設置している。この構成によりＬＥＤ基板７ｂに赤外ＬＥＤチップ７ａを実装する際の作業性向上、ＬＥＤ基板７ｂの強度の向上、透過原稿照射用ランプ６による照射光の輝度向上を実現できる。
【００２６】
【発明の効果】
以上説明したように本発明によれば、面状光源を用いた画像読取装置において、ゴミやキズの除去された良好な読取画像を得ることができる。
【図面の簡単な説明】
【図１】実施形態に係る画像読取装置の構成ブロック図である。
【図２】実施形態に係る画像読取装置の概略斜視図である。
【図３】実施形態に係る透過照明ユニットの概略斜視図である。
【図４】実施形態に係る透過照明ユニットの概略平面図である。
【図５】実施形態に係る画像読取装置の概略断面図である。
【図６】実施形態に係る画像読取装置の概略断面図である。
【図７】実施形態に係る透過照明ユニットの概略断面図である。
【図８】実施形態に係る画像読取装置の概略断面図である。
【符号の説明】
１　画像読取装置
２　透過照明ユニット
３　面状光源
４　遮光シ−ト
６　透過原稿照射用ランプ
７　ゴミキズ検知用ランプ
７ａ　赤外ＬＥＤチップ
７ｂ　ＬＥＤ基板
７ｃ　発光開口部
１０　反射シ−ト
１１　導光部
１２　拡散シ−ト
１９　導光板
２０　反射原稿用光源
１０６　ＣＣＤラインセンサ
１２１　導光パターン
【図１】
2004040149.tif 000003
【図２】
2004040149.tif 000004
【図３】
2004040149.tif 000005
【図４】
2004040149.tif 000006
【図５】
2004040149.tif 000007
【図６】
2004040149.tif 000008
【図７】
2004040149.tif 000009
【図８】
2004040149.tif 000010